(57)【要約】      （修正有）【課題】集電タブと外装缶とを確実に絶縁する絶縁部材を提供する。【解決手段】外装缶１を構成する面のうち端子６、７が配置された第一の面と捲回電極群２との間を絶縁する第一の絶縁部材４１と、第二の絶縁部材４２と、第三の絶縁部材４３と、第四の絶縁部材４４と、第一の面に対向する第二の面の所定の部分と捲回電極群とを絶縁する第五の絶縁部材４５と、第六の絶縁部材４６と、第七の絶縁部材４７と、第八の絶縁部材４８と、第九の絶縁部材４９とを有する二次電池用絶縁部材。【選択図】図２
2018032523.tif 000002
【特許請求の範囲】
【請求項１】
端子が配置された第一の面と、この第一の面に対向する第二の面と、さらに前記第一の
面と前記第二の面との間に配置された第三の面及び第四の面と、前記第三の面に対向する
第五の面と、前記第四の面に対向する第六の面と、で構成される外装缶と、この外装缶に
捲回軸方向が前記第三の面及び前記第五の面に垂直となるように収容され、前記捲回軸方
向の両端部を除いて絶縁シートで被覆された捲回電極群とを有する二次電池に用いられ、
前記捲回電極群を前記外装缶から絶縁する部材において、
前記捲回電極群と前記第一の面との間を絶縁する第一の絶縁部材と、
前記第一の絶縁部材に連なり、前記捲回電極群と前記第三の面との間を絶縁する第二の
絶縁部材と、
前記第二の絶縁部材に連なり、前記捲回電極群と前記第四の面の所定の部分との間を絶
縁する第三の絶縁部材と、
前記第二の絶縁部材に連なり、前記捲回電極群と前記第六の面の所定の部分との間を絶
縁する第四の絶縁部材と、
前記第二の絶縁部材に連なり、前記捲回電極群と前記第二の面の所定の部分との間を絶
縁する第五の絶縁部材と、
前記第一の絶縁部材に連なり、前記捲回電極群と前記第五の面との間を絶縁する第六の
絶縁部材と、
前記第六の絶縁部材に連なり、前記捲回電極群と前記第四の面の所定の部分との間を絶
縁する第七の絶縁部材と、
前記第六の絶縁部材に連なり、前記捲回電極群と前記第六の面の所定の部分との間を絶
縁する第八の絶縁部材と、
前記第六の絶縁部材に連なり、前記捲回電極群と前記第二の面の所定の部分との間を絶
縁する第九の絶縁部材と、
を備えた絶縁部材。
【請求項２】
前記所定の部分は、前記捲回電極群の最外表面のうち前記絶縁シートで被覆されていな
い部分である、請求項１に記載の絶縁部材。
【請求項３】
端子が配置された第一の面と、この第一の面に対向する第二の面と、さらに前記第一の
面と前記第二の面との間に配置された第三の面及び第四の面と、前記第三の面に対向する
第五の面と、前記第四の面に対向する第六の面と、で構成される外装缶と、この外装缶に
捲回軸方向が前記第三の面及び前記第五の面に垂直となるように収容され、前記捲回軸方
向の両端部を除いて絶縁シートで被覆された捲回電極群とを有する二次電池であって、
前記捲回電極群と前記第一の面と間を絶縁する第一の絶縁部材と、
前記第一の絶縁部材に連なり、前記捲回電極群と前記第三の面との間を絶縁する第二の
絶縁部材と、
前記捲回電極群と前記第四の面の所定の部分との間を絶縁する前記第二の絶縁部材に接
続された第三の絶縁部材と、
前記捲回電極群と前記第六の面の所定の部分との間を絶縁する前記第二の絶縁部材に接
続された第四の絶縁部材と、
前記捲回電極群と前記第二の面の所定の部分との間を絶縁する前記第二の絶縁部材に接
続された第五の絶縁部材と、
前記捲回電極群と前記第五の面との間を絶縁する前記第一の絶縁部材に接続された第六
の絶縁部材と、
前記捲回電極群と前記第四の面の所定の部分との間を絶縁する前記第六の絶縁部材に接
続された第七の絶縁部材と、
前記捲回電極群と前記第六の面の所定の部分との間を絶縁する前記第六の絶縁部材に接
続された第八の絶縁部材と、
前記捲回電極群と前記第二の面の所定の部分との間を絶縁する前記第六の絶縁部材に接
続された第九の絶縁部材と、
を備えた二次電池。
【請求項４】
前記所定の部分は、前記捲回電極群の最外表面のうち前記絶縁シートで被覆されていな
い部分である、請求項３に記載の二次電池。
【発明の詳細な説明】
【技術分野】
【０００１】
本発明の実施形態は、絶縁部材と二次電池に関する。
【背景技術】
【０００２】
リチウムイオン二次電池は、エネルギー密度が高いため、電気自動車、ハイブリッド自
動車、電動バイク、及びフォークリフトなどの電源として期待されている。また、より大
容量の電源を得るために、複数の電池を接続した組電池が開発されている。
【０００３】
リチウムイオン二次電池は、金属製の外装缶と、外装缶に収納された捲回電極群と、リ
ードと、外装缶の開口部に取り付けられる金属製の蓋を備える。蓋は、外装缶の開口部に
例えば溶接されている。捲回電極群は、捲回軸方向の一端に正極集電タブを有し、他端に
負極集電タブを備えている。正極集電タブには正極リードが接合され、負極集電タブには
負極リードが接合される。蓋には、正極端子及び負極端子が備えられている。これらの端
子は蓋に例えばガスケットを介してかしめ固定されており、蓋および外装缶に対して絶縁
されている。集電タブに接合された正負極リードは、正極、負極の端子にそれぞれ接続さ
れる。
【０００４】
集電タブが電池の外装缶と接触すると、特に組電池の場合に外装缶が高電圧になる恐れ
がある。そのため、外装缶を集電タブと絶縁するために、絶縁性の部材を捲回電極群に嵌
め込み、集電タブやリードを覆うことで、集電タブと外装缶とを絶縁する方法がとられて
いた。しかしながら、絶縁体を捲回電極群に嵌め込む際に、複数枚の、例えばアルミ箔か
らなる集電タブの全てを漏れなく絶縁体で覆うことは難しく、集電タブのうち一部が絶縁
体によって覆われることなく、外装缶と接触してしまう事態も生じる、といった問題があ
った。
【先行技術文献】
【特許文献】
【０００５】
【特許文献１】特開平４−３２２０７２号公報
【発明の概要】
【発明が解決しようとする課題】
【０００６】
そこで、本発明が解決しようとする課題は、集電タブと外装缶とを確実に絶縁する絶縁部
材を提供することである。
【課題を解決するための手段】
【０００７】
上記の課題を解決するために、本実施形態の絶縁部材は、端子が配置された第一の面と
、この第一の面に対向する第二の面と、さらに前記第一の面と前記第二の面との間に配置
された第三の面及び第四の面と、前記第三の面に対向する第五の面と、前記第四の面に対
向する第六の面と、で構成される外装缶と、この外装缶に捲回軸方向が前記第三の面及び
前記第五の面に垂直となるように収容され、前記捲回軸方向の両端部を除いて絶縁シート
で被覆された捲回電極群とを有する二次電池に用いられ、前記捲回電極群を前記外装缶か
ら絶縁する部材において、前記捲回電極群と前記第一の面との間を絶縁する第一の絶縁部
材と、前記第一の絶縁部材に連なり、前記捲回電極群と前記第三の面との間を絶縁する第
二の絶縁部材と、前記第二の絶縁部材に連なり、前記捲回電極群と前記第四の面の所定の
部分との間を絶縁する第三の絶縁部材と、前記第二の絶縁部材に連なり、前記捲回電極群
と前記第六の面の所定の部分との間を絶縁する第四の絶縁部材と、前記第二の絶縁部材に
連なり、前記捲回電極群と前記第二の面の所定の部分との間を絶縁する第五の絶縁部材と
、前記第一の絶縁部材に連なり、前記捲回電極群と前記第五の面との間を絶縁する第六の
絶縁部材と、前記第六の絶縁部材に連なり、前記捲回電極群と前記第四の面の所定の部分
との間を絶縁する第七の絶縁部材と、前記第六の絶縁部材に連なり、前記捲回電極群と前
記第六の面の所定の部分との間を絶縁する第八の絶縁部材と、前記第六の絶縁部材に連な
り、前記捲回電極群と前記第二の面の所定の部分との間を絶縁する第九の絶縁部材と、を
有している。
【図面の簡単な説明】
【０００８】
【図１】実施形態に係る二次電池の斜視図。
【図２】実施形態に係る二次電池の分解斜視図。
【図３】実施形態に係る二次電池に用いられる電極群の展開斜視図。
【図４】実施形態に係る二次電池に用いられる電極群の積層構造の概略図。
【図５】図２のA―A線に沿う断面を矢印方向から見た断面図。
【図６】実施形態に係る捲回電極群および絶縁体の斜視図。
【図７】実施形態に係る二次電池の分解斜視図。
【発明を実施するための形態】
【０００９】
以下、実施の形態について、図面を参照して説明する。非水電解質二次電池の一例とし
て、図１及び図２に、密閉型の角型非水電解質二次電池２０を示す。角型非水電解質二次
電池２０は、外装缶１、偏平形状の捲回電極群２、正極リード３、負極リード４、絶縁体
４０、正極端子６、負極端子７、とを備える。
【００１０】
外装缶１は、端子が配置された第一の面６１と、この第一の面に対向する第二の面６２
と、さらに前記第一の面と前記第二の面との間に配置された第三の面６３及び第四の面６
４と、前記第三の面に対向する第五の面６５と、前記第四の面に対向する第六の面６６と
、で構成される。外装缶１は、例えば、アルミニウム、アルミニウム合金、鉄あるいはス
テンレスなどの金属から形成される。捲回電極群２は、外装缶１の第一の面６１から挿入
され、外装缶１内に捲回軸に対し直角方向に向かうように収納される。
【００１１】
捲回電極群２は、一端に正極集電タブ８ａを有し、他端に負極集電タブ９ａを有する。
図３に、捲回電極群２の展開図を、図４に捲回電極群２の積層構造を示す。正極８は、例
えば金属箔からなる帯状の正極集電体８ｃと、その片面又は両面に形成された正極活物質
層８ｂを含む。正極活物質層８ｂは、帯状の正極集電体８ｃにその長手方向に沿う一端側
に一定幅の領域（非塗工部）が残るように形成される。この非塗工部は、正極集電体８ｃ
が露出した部分であり、正極集電タブ８ａになる。負極９も同様に、例えば金属箔からな
る帯状の負極集電体９ｃと、その片面又は両面に形成された負極活物質層９ｂを含む。負
極活物質層９ｂは、帯状の負極集電体９ｃにその長手方向に沿う他端側（正極８の一端と
反対側）に一定幅の領域（非塗工部）が残るように形成される。この非塗工部は、負極集
電体９ｃが露出した部分であり、負極集電タブ９ａになる。
【００１２】
正極８と負極９は、帯状のセパレータ１０ａ，１０ｂと交互に重ねられる。このとき、
正極集電タブ８ａは、捲回軸方向の一端側に形成され、負極集電タブ９ａは他端側に形成
される。正極８の下に重ねられたセパレータ１０ａは、その長手方向に沿う一端が正極８
の正極集電タブ側の端部よりも内側に位置するように配置される。これにより、正極集電
タブ８ａが捲回電極群２を構成する正極活物質層８ｂ、負極活物質層９ｂおよびセパレー
タ１０ａから突出する。また、セパレータ１０ａは、その長手方向に沿う他端が正極８の
他端よりも外側に位置するように配置される。正極８と負極９の間に挟まれたセパレータ
１０ｂは、その長手方向に沿う一端が負極９の負極集電タブ側の端部よりも内側に位置す
るように配置される。これにより、負極集電タブ９ａが捲回電極群２を構成する正極活物
質層８ｂ、負極活物質層９ｂおよびセパレータ１０ｂから突出する。また、セパレータ１
０ｂは、その長手方向に沿う他端が負極９の他端よりも外側に位置するように配置される
。
【００１３】
重ねられたセパレータ１０ａ、正極８、セパレータ１０ｂ、負極９を捲回し、次いで、
プレスすることにより、偏平形状の捲回電極群２が形成される。
【００１４】
図２に示されているように、捲回した捲回電極群２は、絶縁テープ３０で巻止めする。
絶縁テープ３０は、捲回電極群２の最外周の集電タブ以外の領域を被覆し、その領域を絶
縁性にする。絶縁テープ３０の巻き数は１周以上であってよい。
【００１５】
外装缶１は、端子が配置された第一の面６１は、例えば溶接により第三の面６３、第四
の面６４、第五の面６５、および第六の面６６に対して気密に固定されている。正極端子
６及び負極端子７は、第一の面６１に絶縁ガスケット１４，１５を介してそれぞれかしめ
固定されている。正極端子６及び負極端子７は、第一の面６１の背面から外装缶１内部に
向けてそれぞれ突出している。正極端子６及び負極端子７の固定方法は、絶縁ガスケット
１４，１５でのかしめ固定（図示しない）の他に、ガラスを用いるハーメティックシール
であってよい。また、第一の面６１は、電解液を注入する注入口２８、二次電池内に発生
したガスを排出するガス排出弁２９を備えている。
【００１６】
第一の面６１に対して、外装缶１の内部側には絶縁体４０が設けられている。絶縁体４
０に関しては後に詳しく説明する。
【００１７】
正極リード３は、正極端子６に電気的に接続される接続プレート３ａと、接続プレート
３ａに開口された貫通孔３ｂと、接続プレート３ａから二股に分岐し、捲回電極群２に捲
回軸に対して直角方向に向けて延出した挟持部である第１、第２の挟持ストリップ３ｃ、
３ｄとを有する。接続プレート３ａは、正極端子６の箇所において第一の面６１の背面に
絶縁体４０を介して当接すると共に、第一の面６１の背面から突出した正極端子６が貫通
孔３ｂをかしめ固定する。
【００１８】
正極リード３の第１、第２の挟持ストリップ３ｃ、３ｄは、捲回軸に対して直角方向か
ら正極集電タブ８ａを挟み、第１、第２の挟持ストリップ３ｃ、３ｄと正極集電タブ８ａ
とが例えば溶接により接合される。
【００１９】
同様に、負極リード４は、負極端子７に接続される接続部である接続プレート４ａと、
接続プレート４ａに開口された貫通孔４ｂと、接続プレート４ａから二股に分岐し、捲回
電極群２に捲回軸に対して直角方向に向けて延出した挟持部である第１、第２の挟持スト
リップ４ｃ、４ｄとを有する。接続プレート４ａは、負極端子７の箇所において第一の面
６１の背面に絶縁体４０を介して当接すると共に背面から突出した負極端子７に貫通孔４
ｂをかしめ固定する。
【００２０】
負極リード４の第１、第２の挟持ストリップ４ｃ、４ｄは、捲回軸に対して直角方向か
ら負極集電タブ９ａを挟み、第１、第２の挟持ストリップ４ｃ、４ｄと負極集電タブ９ａ
とが例えば溶接により接合される。
【００２１】
なお、上記の溶接は抵抗溶接及び超音波溶接のような方法によって実施されてよい。
【００２２】
上記構造を有する正負極のリードは、第１、第２の挟持ストリップを集電タブに対して
均等に配置させることができる。また、挟持ストリップが二つ（第１、第２）存在するこ
とにより、集電距離が短くなる。これにより、集電バランスを良好にでき、集電効率を高
めることができる。さらに、このような第１、第２の挟持ストリップを備えたリードは集
電タブと第１、第２の挟持ストリップとの接合箇所およびそれ自体に熱が集中しにくいた
め、大電流を流した場合でも良好な電気的特性を維持することが可能になる。
【００２３】
正負極の集電タブと正負極のリードとは、図２に示すように集電タブを固定部材で部分
的に固定した状態で接合してもよい。すなわち、正極集電タブ８ａは固定部材１１により
固定され、負極集電タブ９ａも固定部材１２により固定されている。
【００２４】
正負極の固定部材は、正負極の集電タブを固定する際には対称的に配置されるが、互い
に同じ形状を有する。それ故、負極集電タブ９ａを固定する固定部材１２を例にして図５
を参照して詳述する。負極集電タブ９ａは、捲回されているため、複数枚の集電タブが重
なった中空長楕円形の束から形成される。固定部材１２は、負極集電タブ９ａの中央付近
において中空長楕円形の短軸方向に対向する二箇所にそれぞれ嵌合して束ねるＵ字形の第
１、第２の保持部１２ａ、１２ｂと、負極集電タブ９ａで形成される楕円内部で第１、第
２の保持部１２ａ、２ｂを連結する平坦な連結部１２ｃとを有する。負極集電タブ９ａは
、第１、第２の保持部１２ａ、１２ｂと、例えば溶接により接合される。
【００２５】
負極リード４の第１、第２の挟持ストリップ４ｃ，４ｄで固定部材１２が取り付けられ
た負極集電タブ９ａを挟む。これにより、図５に示すように、第１の挟持ストリップ４ｃ
と第１の保持部１２ａの外面とが接触し、第２の挟持ストリップ４ｄと第２の保持部１２
ｂの外面とが接触する。これらの接触箇所において、第１、第２の挟持ストリップ４ｃ、
４ｄと第１、第２の保持部１２ａ，１２ｂを例えば溶接により接合する。
【００２６】
なお、上記の溶接は抵抗溶接及び超音波溶接のような方法によって実施されてよい。
【００２７】
固定部材１２は、金属のような導電性材料から形成される。このため、捲回電極群２の
負極９は固定部材１２を通して負極リード４と電気的に接続され、さらに負極リード４を
通して第一の面６１の負極端子７に電気的に接続される。
【００２８】
このような固定部材を用いることにより、捲回電極群２の集電タブ部分の厚さを減少さ
せ、外装缶内にリードを配置するスペースを確保することができる。リードのためのスペ
ースを新たに設ける必要がないため、電池２０のエネルギー密度を向上することができる
。
【００２９】
なお、固定部材は、独立したＵ字形の第１の保持部及び／又は第２の保持部のみを有し
、連結部を有さない形状であってもよい。第１の保持部と第２の保持部は、それぞれ独立
して負極集電タブ９ａに固定されてよい。
【００３０】
固定部材１１の構造および固定部材１１による正極集電タブ８ａの固定形態は、前述し
た固定部材１２と負極集電タブ９ａと同様である。なお、固定部材１１はＵ字形の保持部
１１ａ、１１ｂおよび平坦な連結部１１ｃを有する。
【００３１】
続いて、この実施形態の主な特徴部分である絶縁体４０について、図２、図６及び図７
を用いて説明する。
【００３２】
尚、図６については捲回電極群２及び絶縁体４０のみを図示している。
【００３３】
これらの図に示すように、絶縁体４０は、第一の面６１と捲回電極群２との間に挟まれた
第一の絶縁部材４１と、第一の絶縁部材４１に接続し、かつ外装缶１のうち捲回電極群２
の捲回軸方向に対して垂直である第一の側面との間に挟まれた第二の絶縁部材４２と、第
二の絶縁部材４２に接続し、かつ外装缶１のうち捲回電極群２の捲回軸方向に対して平行
である第二の側面との間に挟まれた第三の絶縁部材４３と、第二の絶縁部材４２に接続し
、かつ外装缶１のうち捲回電極群２の捲回軸方向に対して平行である第三の側面との間に
挟まれた第四の絶縁部材４４と、第二の絶縁部材４２に接続し、かつ外装缶１の底面との
間に挟まれた第五の絶縁部材４５と、第一の絶縁部材４１に接続し、かつ外装缶１のうち
捲回電極群２の捲回軸方向に対して垂直である第二の側面との間に挟まれた第六の絶縁部
材４６と、第六の絶縁部材４６に接続し、かつ外装缶１のうち捲回電極群２の捲回軸方向
に対して平行である第二の側面との間に挟まれた第七の絶縁部材４７と、第六の絶縁部材
４６に接続し、かつ外装缶１のうち捲回電極群２の捲回軸方向に対して平行である第三の
側面との間に挟まれた第八の絶縁部材４８と、第六の絶縁部材４６に接続し、かつ外装缶
の底面との間に挟まれた第九の絶縁部材４９と、を備える。
【００３４】
絶縁体４０は電池組み立て前の自由状態においては、絶縁体４０の第一の絶縁部材４１
と、第二の絶縁部材４２、第三の絶縁部材４３、第四の絶縁部材４４、第六の絶縁部材４
６、第七の絶縁部材４７、第五の絶縁部材４５、第九の絶縁部材４９とが略同一平面状に
なっていることを特徴とする。
【００３５】
絶縁体４０は、ポリプロピレンなどの絶縁性があり、非水電解質に溶解しない材料から
なる。
【００３６】
また、絶縁体４０、第一の絶縁部材４１と第二の絶縁部材４２との境界部には、例えば
Ｖ字状の溝５０を有する。またこの溝５０は第一の絶縁部材４１と第六の絶縁部材４６と
の境界部、第二の絶縁部材４２と第二側壁絶縁部４３との境界等、絶縁体４０におけるす
べての境界部に溝５０が設けられている。溝５０は、例えば、断面が三角形状に設けられ
、溝５０に沿って比較的容易に折り曲げることが可能な構造となっている。
【００３７】
以上の実施形態によれば、以下のような手順で電池を組み立てることができる。
【００３８】
まず、図２に示すように、絶縁体４０は自由状態のまま、捲回電極群２、正極リード３
、負極リード４、絶縁体４０、第一の面６１、正極端子６、負極端子７などを組み立てる
。
【００３９】
次に、図６に示すように絶縁体４０のうち、第一の絶縁部材４１と第二の絶縁部材４２
との境界部、第一の絶縁部材４１と第六の絶縁部材４６との境界部を９０度折り曲げ、第
二の絶縁部材４２を正極集電タブ８ａに接近させ、第六の絶縁部材４６を負極集電タブ９
ａに接近させる。
【００４０】
その後、第二の絶縁部材４２と第三の絶縁部材４３との境界部、第二の絶縁部材４２と
第四の絶縁部材４４との境界部、第二の絶縁部材４２と第五の絶縁部材４５との境界部、
第六の絶縁部材４６と第七の絶縁部材４７との境界部、第六の絶縁部材４６と第八の絶縁
部材４８との境界部、第六の絶縁部材４６と第九の絶縁部材４９との境界部、をそれぞれ
９０度折り曲げる。そうすることで、図７に示すように各絶縁部によって、捲回電極群２
の正極集電タブ８ａ及び負極集電タブ９ａを覆う。
【００４１】
その後、そのような状態で絶縁体４０及び捲回電極群２等を外装缶１に挿入し、最後に
第一の面６１と外装缶１とをレーザー溶接等により気密に固定される。
【００４２】
上述のように、絶縁体４０の第二の絶縁部材４２を正極集電タブ８ａに、第六の絶縁部
材４６を負極集電タブ９ａに、それぞれ接近させてから第三の絶縁部材４３、第四の絶縁
部材４４、第五の絶縁部材４５、第七の絶縁部材４７、第八の絶縁部材４８、第九の絶縁
部材４９と、を捲回電極群２、特に捲回電極群２の集電タブに接近させる。そのため、す
べての集電タブを確実に絶縁部材で覆うことが可能となる。
【００４３】
また、絶縁体４０は上述のように、第二の絶縁部材４２及び第六の絶縁部材４６を集電
タブに接近させた状態で、その他の絶縁部を捲回電極群２に接近させるため、第三の絶縁
部材４３、第四の絶縁部材４４、第五の絶縁部材４５、第七の絶縁部材４７、第八の絶縁
部材４８、第九の絶縁部材４９の長手方向の長さを長くしても、集電タブを確実に絶縁部
材で覆うことができる。そのため、集電タブのみならず、捲回電極群２を覆う絶縁テープ
３０の少なくとも一部にまで、絶縁部材で覆うことが可能となり、振動などによって、絶
縁体の位置がずれ、集電タブが外装缶と接触する、といった事態を避けることが出来る。
【００４４】
また、絶縁体４０は捲回電極群２に嵌め込んで固定するような構造ではなく、捲回電極
群２に接近させることで絶縁するものであるので、絶縁体４０の構造も複雑でなく、成形
も比較的容易である。
【００４５】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。これら実施形態やその変形は、発明の範囲や要旨に
含まれると同様に、特許請求の範囲に記載された発明とその均等の範囲に含まれるもので
ある。
【符号の説明】
【００４６】
１…外装缶、２…捲回電極群、３…正極リード、３ａ…接続プレート、３ｂ…貫通孔、３
ｃ…第１の挟持ストリップ、３ｄ…第２の挟持ストリップ、４…負極リード、４ａ…接続
プレート、４ｂ…貫通孔、４ｃ…第１の挟持ストリップ、４ｄ…第２の挟持ストリップ、
６…正極端子、７…負極端子、８ａ…正極集電タブ、８ｂ…正極活物質層、８ｃ…正極集
電体、９ａ…負極集電タブ、９ｂ…負極活物質層、９ｃ…負極集電体、１０…セパレータ
、１１、１２…固定部材、１２ａ，１２ｂ…第１，第２の保持部、１４，１５…絶縁ガス
ケット、２０…電池、３０…絶縁テープ、４０…絶縁体、４１…第一の絶縁部材、４２…
第二の絶縁部材、４３…第三の絶縁部材、４４…第四の絶縁部材、４５…第五の絶縁部材
、４６…第六の絶縁部材、４７…第七の絶縁部材、４８…第八の絶縁部材、４９…第九の
絶縁部材、６１…第一の面、６２…第二の面、６３…第三の面、６４…第四の面、６５…
第五の面、６６…第六の面
【図１】
2018032523.tif 000003
【図２】
2018032523.tif 000004
【図３】
2018032523.tif 000005
【図４】
2018032523.tif 000006
【図５】
2018032523.tif 000007
【図６】
2018032523.tif 000008
【図７】
2018032523.tif 000009